(57)【要約】【課題】エアコンの運転停止操作後に空調運転とメンテナンス運転の運転時間と消費電力とをリモコンに表示することが可能な空気調和機を提供することを目的とする。【解決手段】エアコン室内機２は、ＲＦモジュール２１によりリモコン１から操作信号を受信すると、リモコン１に対しエアコン室内機２の運転情報を送信し、ＭＰＵボード２２によりエアコン室内機２の空調運転とメンテナンス運転における運転時間と消費電力を計算する。リモコン１のＲＦモジュール１１は、エアコン室内機２の操作信号を送信すると共に、エアコン室内機２から送信される運転情報を受信し、エアコン室内機２に対して運転を停止させる操作信号を送信すると、エアコン室内機２のＭＰＵボード２２が空調運転中とメンテナンス運転中の運転時間と消費電力を計算し、ＲＦモジュール２１から運転情報としてリモコン１へ送信し、ＬＣＤユニット１５に表示する。【選択図】図２
2012149853.tif 000002
【特許請求の範囲】
【請求項１】
空調運転後にメンテナンス運転を行う空気調和機本体と、前記空気調和機本体を運転操作するリモコンとを備えた空気調和機であって、
前記空気調和機本体は、
前記リモコンから運転操作する操作信号を受信する本体受信手段と、
前記リモコンに対して前記空気調和機本体の運転情報を送信する本体送信手段と、
前記空気調和機本体の前記空調運転と前記メンテナンス運転における運転時間と消費電力とを計算する計算手段と、
を備え、
前記リモコンは、
前記空気調和機本体に対して運転操作を行う操作信号を送信するリモコン送信手段と、
前記空気調和機本体から送信される前記空気調和機本体の運転情報を受信するリモコン受信手段と、
前記リモコン受信手段が受信した運転情報を表示する表示手段と、
を備え、
前記リモコン送信手段が、前記空気調和機本体に対して運転を停止させる操作信号を送信すると、前記本体受信手段がこれを受信し、前記計算手段により前記空調運転と前記メンテナンス運転に要する運転時間と消費電力とを計算し、前記本体送信手段から運転情報として送信すると、前記リモコン受信手段がこれを受信し、前記表示手段に表示することを特徴とする空気調和機。
【請求項２】
前記表示手段は、前記空気調和機の前記空調運転の運転時間と消費電力と、前記メンテナンス運転に要する運転時間と消費電力とを分けて表示することを特徴とする請求項１に記載の空気調和機。
【請求項３】
前記表示手段は、前記空気調和機の前記空調運転の運転時間と消費電力と、前記メンテナンス運転要する運転時間と消費電力とを同一画面に表示することを特徴とする請求項２に記載の空気調和機。
【請求項４】
前記表示手段は、前記空気調和機の前記空調運転の運転時間と消費電力と、前記メンテナンス運転中の運転時間と消費電力とを時間差を設けて画面を切り換えて表示することを特徴とする請求項２に記載の空気調和機。
【請求項５】
前記表示手段は、前記空気調和機の前記空調運転と前記メンテナンス運転の合計の運転時間と、合計の消費電力とを表示することを特徴とする請求項１に記載の空気調和機。
【発明の詳細な説明】
【技術分野】
【０００１】
本発明は、運転時間とその消費電力の表示を行う空気調和機に関する。
【背景技術】
【０００２】
近年、エアコンディショナー（以下、エアコンという）の本体と、それをコントロールするリモートコントローラ（以下、リモコンという）との間で双方向通信を行う空気調和機があった（特許文献１参照）。この種の従来技術では、リモコンからエアコン本体に対して運転停止コマンドを送ると、エアコン本体が運転を停止すると共に、運転時間と消費電力（電気代）などの情報をエアコン本体からリモコンへ送信し、使用者に知らせるものがあった。
【先行技術文献】
【特許文献】
【０００３】
【特許文献１】特開２００７−２７８６９６号公報
【発明の概要】
【発明が解決しようとする課題】
【０００４】
冷房運転時におけるエアコンは、室温と熱交換器との温度差により熱交換器等に露が付き易くなるため、そのままの状態で運転を停止させると室内機の内部湿度が高くなり、カビの発生や悪臭の原因となっていた。そこで、最近のエアコンでは、冷房運転の停止後、熱交換器等に付いた露を乾燥させるために自動で乾燥運転を行うものがある。
【０００５】
また、エアコンの室内機には、空気取り入れ口に空気中の塵や埃が入らないようにフィルタが配置されているが、所定の運転積算時間到来後の運転停止時に、フィルタ清掃を自動で行う機能の付いたものがある。
【０００６】
このように、従来の空気調和機は、使用者の停止操作とは関係なくエアコンが所定の条件を満たすと自動的にメンテナンス運転（乾燥運転やフィルタ清掃）が開始されるため、操作者が運転停止操作した時点における運転時間や消費電力（電気代）の表示しか表示されなかった。従って、メンテナンス運転にかかる運転時間や消費電力の表示、更に、空調運転とメンテンス運転の積算した運転時間や消費電力を表示されないため、使用者にメンテナンスにかかる時間や消費電力や空調運転とメンテナンス運転にかかった消費電力を正しく知らせることができないという問題があった。
【０００７】
本発明は、上記に鑑みてなされたものであって、エアコンの運転停止操作後に空調運転だけでなくメンテナンス運転における運転時間と消費電力とをリモコンに表示することが可能な空気調和機を提供することを目的とする。
【課題を解決するための手段】
【０００８】
上述した課題を解決し、目的を達成するために、本発明は、空調運転後にメンテナンス運転を行う空気調和機本体と、前記空気調和機本体を運転操作するリモコンとを備えた空気調和機であって、前記空気調和機本体は、前記リモコンから運転操作する操作信号を受信する本体受信手段と、前記リモコンに対して前記空気調和機本体の運転情報を送信する本体送信手段と、前記空気調和機本体の前記空調運転と前記メンテナンス運転における運転時間と消費電力とを計算する計算手段と、を備え、前記リモコンは、前記空気調和機本体に対して運転操作を行う操作信号を送信するリモコン送信手段と、前記空気調和機本体から送信される前記空気調和機本体の運転情報を受信するリモコン受信手段と、前記リモコン受信手段が受信した運転情報を表示する表示手段と、を備え、前記リモコン送信手段が、前記空気調和機本体に対して運転を停止させる操作信号を送信すると、前記本体受信手段がこれを受信し、前記計算手段により前記空調運転中と前記メンテナンス運転に要する運転時間と消費電力とを計算し、前記本体送信手段から運転情報として送信すると、前記リモコン受信手段がこれを受信し、前記表示手段に表示することを特徴とする。
【０００９】
また、本発明は、前記表示手段は、前記空気調和機の前記空調運転の運転時間と消費電力と、前記メンテナンス運転に要する運転時間と消費電力とを分けて表示することが好ましい。
【００１０】
また、本発明は、前記表示手段は、前記空気調和機の前記空調運転の運転時間と消費電力と、前記メンテナンス運転中の運転時間と消費電力とを同一画面に表示することが好ましい。
【００１１】
また、本発明は、前記表示手段は、前記空気調和機の前記空調運転の運転時間と消費電力と、前記メンテナンス運転に要する運転時間と消費電力とを時間差を設けて画面を切り換えて表示することが好ましい。
【００１２】
また、本発明は、前記表示手段は、前記空気調和機の前記空調運転と前記メンテナンス運転の合計の運転時間と、合計の消費電力とを表示することが好ましい。
【発明の効果】
【００１３】
本発明によれば、リモコン送信手段は、空気調和機に対して運転を停止させる操作信号を送信すると、本体受信手段がこれを受信し、計算手段により空調運転中とメンテナンス運転中の運転時間と消費電力とを計算し、本体送信手段から運転情報として送信すると、リモコン受信手段がこれを受信し、表示手段に表示するようにする。このように、リモコンから空気調和機本体に対する空調運転停止操作後、メンテナンス運転が自動で開始されても、空調運転とメンテナンス運転の運転時間と消費電力を計算して、運転情報としてリモコンに送信され、表示手段に表示されるため、正確な運転時間と消費電力とを把握することができる。また、メンテナンス運転だけの消費電力がわかるため、メンテナンス運転等の設定に利用することができる。
【図面の簡単な説明】
【００１４】
【図１】図１は、本発明の一実施形態にかかる空気調和機本体とリモコンおよび加湿器と外部接続機器との関係を説明する図である。
【図２】図２は、図１の空気調和機本体とリモコンおよび加湿器と外部接続機器との概略構成を示すブロック図である。
【図３】図３は、本実施例にかかる空気調和機のリモコンの平面図である。
【図４】図４は、本実施例にかかるリモコンとエアコンとの間で行われるペアリング設定動作の手順を説明する図である。
【図５】図５は、図４のペアリング設定中に受信可能なエアコンの機種情報の一例を示す図である。
【図６】図６は、図４のペアリング設定に最低限必要なエアコンの機種情報の一例を示す図である。
【図７】図７は、本実施例にかかるペアリング設定後のリモコンとエアコンとの間でログ情報の受け渡しを行う場合の通信手順を説明する図である。
【図８】図８は、運転停止中の空気調和機本体に対しリモコンから運転開始操作を行った場合の表示例を示す図である。
【図９】図９は、運転中の空気調和機本体に対しリモコンから運転停止操作を行った場合の表示例を示す図である。
【図１０】図１０は、運転中の空気調和機本体に対しリモコンから運転停止操作を行った後に内部クリーン運転を行った場合の表示例を示す図である。
【図１１】図１１は、運転中の空気調和機本体に対しリモコンから運転停止操作を行った後に内部クリーン運転とフィルタークリーン運転を行った場合の表示例を示す図である。
【図１２】図１２は、リモコンに表示されたフィルタークリーン運転の電気代に基づいてフィルタークリーン間隔の設定を変更する場合の表示例を示す図である。
【図１３】図１３は、本実施例にかかる空気調和機の動作を説明するフローチャートである。
【図１４】図１４は、本実施例にかかるリモコンとＰＣとの間でログ情報の受け渡しを行う場合の通信手順を説明する図である。
【図１５】図１５は、ＰＣが取得したログ情報に基づいてエアコンの運転情報管理を行うＰＣ画面例を示す図である。
【図１６】図１６は、ＰＣが取得したログ情報に基づいてエアコンの運転情報管理を行うＰＣ画面例を示す図である。
【図１７】図１７は、ＰＣが取得したログ情報に基づいてエアコンの運転情報管理を行うＰＣ画面例を示す図である。
【図１８】図１８は、ＰＣが取得したログ情報に基づいてエアコンの運転情報管理を行うＰＣ画面例を示す図である。
【図１９】図１９は、ＰＣが取得したログ情報に基づいてエアコンの運転情報管理を行うＰＣ画面例を示す図である。
【図２０】図２０は、ＰＣが取得したログ情報に基づいてエアコンの運転情報管理を行うＰＣ画面例を示す図である。
【図２１】図２１は、ＰＣが取得したログ情報に基づいてエアコンの運転情報管理を行うＰＣ画面例を示す図である。
【図２２】図２２は、ＰＣが取得したログ情報に基づいてエアコンの運転情報管理を行うＰＣ画面例を示す図である。
【図２３】図２３は、ＰＣが取得したログ情報に基づいてエアコンの運転情報管理を行うＰＣ画面例を示す図である。
【図２４】図２４は、ＰＣが取得したログ情報に基づいてエアコンの運転情報管理を行うＰＣ画面例を示す図である。
【図２５】図２５は、ＰＣが取得したログ情報に基づいてエアコンの運転情報管理を行うＰＣ画面例を示す図である。
【図２６】図２６は、ＰＣが取得したログ情報に基づいてエアコンの運転情報管理を行うＰＣ画面例を示す図である。
【図２７】図２７は、ＰＣが取得したログ情報に基づいてエアコンの運転情報管理を行うＰＣ画面例を示す図である。
【図２８】図２８は、ＰＣが取得したログ情報に基づいてエアコンの運転情報管理を行うＰＣ画面例を示す図である。
【図２９】図２９は、ＰＣが取得したログ情報に基づいてエアコンの運転情報管理を行うＰＣ画面例を示す図である。
【図３０】図３０は、ＰＣが取得したログ情報に基づいてエアコンの運転情報管理を行うＰＣ画面例を示す図である。
【発明を実施するための形態】
【００１５】
以下に、本発明にかかる空気調和機の実施例を図面に基づいて詳細に説明する。なお、この実施例によりこの発明が限定されるものではない。
【実施例１】
【００１６】
［構成説明］
図１は、本発明の一実施形態にかかる空気調和機本体とリモコンおよび加湿器と外部接続機器との関係を説明する図であり、図２は、図１の空気調和機本体とリモコンおよび加湿器と外部接続機器との概略構成を示すブロック図であり、図３は、本実施例にかかる空気調和機のリモコンの平面図である。
【００１７】
本実施例にかかる空気調和機は、図１に示すように、空気調和機本体としてのエアコン室内機２とリモコン１と図示しない室外機とで構成され、ＲＦモジュールによる双方向無線通信を利用して、リモコン１からエアコン室内機２に対して遠隔操作や各種設定を行い、エアコン室内機２から各種運転情報をリモコン１が取得すると、リモコン１の表示手段にそれらの情報を表示させて、運転管理や各種設定に利用する。また、本実施例にかかるリモコン１は、取得した各種運転情報を外部接続端子としてのＵＳＢ接続端子を介してパーソナルコンピュータ（ＰＣ）３と有線接続し、運転情報管理をＰＣ３側で行うことができる。また、本実施例にかかるリモコン１は、エアコン室内機２以外の操作対象機器である加湿器４等を赤外線送信手段としての赤外線（ＩＲ）ＬＥＤを用いて遠隔操作を行うことができる。
【００１８】
図１のように構成されたリモコン１と、空気調和機本体としてのエアコン室内機２、ＵＳＢ接続端子を介して接続されるＰＣ３、および加湿器４の概略構成について、図２を用いて説明する。リモコン１は、エアコン室内機２との間で双方向無線通信を行うための送受信機やアンテナ等を含むリモコン送信手段およびリモコン受信手段としてのＲＦモジュール１１、情報管理等を行うパーソナルコンピュータ（ＰＣ）３とＵＳＢ接続するためのＵＳＢソケット１２、加湿器４に対して赤外線（ＩＲ）ダイオードによりコマンドを送信してコントロールするＩＲＬＥＤ１３、エアコン室内機２から受信した各種運転情報等のデータを一定期間（ここでは、４０日間分）保持するメモリを含み、リモコン１の各部を制御するＭＰＵ（マイクロプロセッサユニット）が搭載されたＭＰＵボード１４、リモコン１の操作情報やエアコン室内機２の運転情報（運転時間、消費電力等）を表示する表示手段としてのＬＣＤユニット１５、操作対象機器を操作するキー操作部１６、時間管理を行う計時専用のＲＴＣ（リアル・タイム・クロック）１７、および、リモコン１の各部に電力を供給する電池１８等により構成されている。
【００１９】
エアコン室内機２は、図２に示すように、リモコン１のＲＦモジュール１１と双方向無線通信を行う本体受信手段および本体送信手段としてのＲＦモジュール２１、および、ＲＦモジュール２１で受信したリモコン１からのコマンドに基づいてエアコン室内機２の各部を制御すると共に、エアコン室内機２の運転情報を収集し、空調運転モード２２ａやメンテナンス運転モード２２ｂにおける運転時間と消費電力（電気代）を計算し、一定期間（ここでは、１０日間分）のデータを保持するメモリを含む計算手段としてのＭＰＵが搭載されたＭＰＵボード２２などを備えている。また、エアコン室内機２には、リモコン１との間で無線通信を行う際に、共通の時間管理を行う必要があるため、リモコン１と同じＲＴＣ２３を備えている。
【００２０】
また、ＰＣ３は、図２に示すように、リモコン１のＵＳＢソケット１２との間にＵＳＢケーブルを接続するためのＵＳＢソケット３１を備えている。ＰＣ３は、運転情報管理ソフトをインストールすることにより、ＵＳＢ接続時にデータの送受信が行えるようになると共に、リモコン１を介してエアコン室内機２からの運転情報を定期的に収集し、ＰＣ画面上で継続的に運転管理を行うことができる。
【００２１】
また、加湿器４は、図２に示すように、リモコン１のＩＲＬＥＤ１３から送信される赤外線信号を受信するＩＲＰＤ（赤外線受信）ユニット４１を備えている。リモコン１は、この赤外線信号（コマンド）によって加湿器４をコントロールすることができる。
【００２２】
空気調和機を運転操作するリモコン１は、図３に示すように、運転情報（運転時間、消費電力等）を表示する液晶表示部からなるＬＣＤユニット１５と、エアコン室内機２を運転操作するためのキー操作部１６とを備えている。そして、キー操作部１６の中には、エアコン室内機２の運転開始、および運転停止を操作する、運転／停止キー１６ａを備えている。
【００２３】
本実施例の空気調和機は、上記したリモコン１とエアコン室内機２の間で、ＲＦモジュールを用いて双方向無線通信を行うため、近くに別機種のエアコンがあると操作対象機器が区別できなくなることから、事前にペアリング設定を行う必要がある。
【００２４】
［ペアリング設定］
図４は、本実施例にかかるリモコンとエアコンとの間で行われるペアリング設定動作の手順を説明する図であり、図５は、図４のペアリング設定中に受信可能なエアコンの機種情報の一例を示す図であり、図６は、図４のペアリング設定に最低限必要なエアコンの機種情報の一例を示す図である。
【００２５】
まず、リモコン１の登録設定が選択された場合、あるいは、リモコン１のＭＰＵボード９に搭載された図示しない不揮発性メモリ（以下、EEPROMという）にペアリング相手が記憶されていない場合（ＬＣＤユニット１５に「登録なし」が表示される場合）は、リモコン登録設定モードとなり、エアコン室内機２とペアリングを行う際の手順を表示するペアリング表示をする。同様に、エアコン室内機２もペアリング登録がない場合は、エアコン室内機２備えられた図示しないランプで表示される。ペアリングは、図４に示すように、操作者がエアコン室内機２にある図示しないペアリングボタンを押下すると、ペアリング実行状態をブザーの鳴動、およびランプの点灯で示し、エアコン室内機２側のペアリング要求信号がＲＦモジュール２１に送られて、ペアリングが開始される（ステップＳ６０）。
【００２６】
また、リモコン１のＬＣＤユニット１５にペアリング表示がされている間は、図３に示すリモコン１のキー操作部１６の運転／停止キー１６ａと、操作扉を開いた中の確定キー１６ｂとを同時に押下すると、ペアリング要求信号がＲＦモジュール１１に送られ、ペアリングが開始される（ステップＳ６１）。リモコン１のＬＣＤユニット１５には、「ペアリング登録中」と表示される。ここで、ＲＦモジュール１１と２１との間でペアリングのための通信を行い（ステップＳ６２）、ペアリング登録可能な機種かどうかを確認した後（ステップＳ６３）、ＲＦモジュール２１からＭＰＵボード２２にＲＦモジュールのペアリングが完了した旨のペアリング完了信号を送信し（ステップＳ６４）、ＲＦモジュール１１からＭＰＵボード１４にＲＦモジュールのペアリングが完了した旨のペアリング完了信号を送信する（ステップＳ６５）。
【００２７】
続いて、リモコン１からエアコン室内機２に対し、エアコン機種情報要求を汎用データとして送信する（ステップＳ６６）。この時、エアコン室内機２から受信可能なエアコン機種情報の信号としては、図５に示すように、シリーズ名（Ｚ／Ｓ）、室内機年度（Ａ〜Ｚ）、文字列（機種名１６文字以内）、派生機種（１）、エアコンＩＤ（ＭＡＣアドレス）などがある。エアコン室内機２側のＲＦモジュール２１は、エアコン機種情報要求をエアコン室内機２で受信すると、リモコン１に対して汎用データ送信完了信号を送信し、送信が成功したことを通知する（ステップＳ６７）。リモコン１のＭＰＵボード１４は、ＲＦモジュール１１を受信モードに切り換える（ステップＳ６８）。
【００２８】
続いて、エアコン室内機２のＭＰＵボード２２は、エアコンの機種情報をリモコン１側に情報転送する（ステップＳ６９）。エアコン室内機２の機種情報をリモコン１側で受信すると、ＲＦモジュール１１は、エアコン室内機２に対して情報転送完了信号を送信し、送信が成功したことを通知する（ステップＳ７０）。
【００２９】
リモコン１は、エアコン機種情報を取得すると、受信モード中止をＲＦモジュール１１に通知し（ステップＳ７１）、受信モード完了を受け取る（ステップＳ７２）。
【００３０】
リモコン１のＭＰＵボード１４は、取得したエアコン機種情報に基づいて、ペアリング設定を行うエアコン室内機２が該当機種か否かを判断する。リモコン１のＭＰＵボード１４は、該当機種で、受信した信号が図６に示す信号を少なくとも含む場合、ペアリング成立の汎用データをエアコン室内機２に送信する（ステップＳ７３）。エアコン室内機２のＲＦモジュール２１は、ペアリング成立の汎用データを受信すると、リモコン１に対して、汎用データの送信が完了（送信成功）したことを通知する（ステップＳ７４）。リモコン１のＭＰＵボード１４は、ペアリングが成立したことをＬＣＤユニット１５に５．５秒間表示し、操作者はシリーズ名に合わせて「Ｚ」または「Ｓ」を選択すると、選択された機種内容がEEPROMに書き込まれる。
【００３１】
一方、リモコン１のＭＰＵボード１４は、ペアリング設定を行うエアコン室内機２が該当機種でないと判断した場合、あるいは、受信したエアコン機種情報が図６に示す信号以外のものであった場合、ペアリング不成立の汎用データをエアコン室内機２に送信する（ステップＳ７５）。エアコン室内機２のＲＦモジュール２１は、ペアリング不成立の汎用データを受信すると、リモコン１に対して、汎用データの送信が完了したことを通知する（ステップＳ７６）。リモコン１のＭＰＵボード１４は、ペアリング不成立表示をＬＣＤユニット１５に５．５秒間表示して、ペアリングクリア処理を行い（ステップＳ７７）、ペアリングクリアが完了したことの通知を受ける（ステップＳ７８）。
【００３２】
ペアリング不成立の場合、エアコン室内機２のＭＰＵボード２２側でもペアリングクリア処理を行い（ステップＳ７９）、ペアリングクリアが完了したことの通知を受ける（ステップＳ８０）。このようにして、ペアリング設定が終了する。
【００３３】
上記のペアリング設定が終了したリモコン１とエアコン室内機２との間では、リモコン１からエアコン室内機２に対して運転操作や各種設定を行う他、以下の通信シーケンスにより、エアコン室内機２に保存されている運転状況ログ（履歴）をリモコン１が要求することにより、ログを取得することができる。
【００３４】
［エアコンとリモコン間の通信シーケンス］
図７は、本実施例にかかるペアリング設定後のリモコンとエアコンとの間でログ情報の受け渡しを行う場合の通信手順を説明する図である。リモコン１は、毎日、定時刻にエアコン室内機２に対して運転状況ログを要求し、収集する動作が行われる。
【００３５】
まず、リモコン１のＭＰＵボード１４は、図７に示すように、ＲＴＣ１７により定時刻（ここでは、ＡＭ０：０３とする）になると、ＲＦモジュール１１および２１を介してエアコン室内機２のＭＰＵボード２２に対してログ要求を送信する（ステップＳ８１）。リモコン１は、ログ要求を送信した後、エアコン室内機２からログデータが送られてくるのを待つ。ログを待つ際に、一定の時間が経過してもログが送られてこない場合は、受信タイムアウトによる受信エラーとし、ログの受信待ちを終了して、その日のログ収集を終了する。エアコン室内機２のＭＰＵボード２２のEEPROMは、エアコン運転状況のログを最大１０日分保存できる容量を持っているため、受信エラーが生じても次にログの受信が可能になった時点で、まとめてログの転送が行われる。
【００３６】
図７に示すように、エアコン室内機２から順次ログデータが送られてくると（ステップＳ８２、８３・・・）、その都度リモコン１のＭＰＵボード１４のEEPROMに保存する。ログの保存方法は、EEPROMに未保存のエリアがある場合は、その部分にログを書き込み、未保存のエリアが無い場合は、一番古いログの書き込みエリアを上書きして保存する。リモコン１は、エアコン室内機２からログデータの終了を示すログ終了を受信すると（ステップＳ８４）、ログ取得が完了する。
【００３７】
また、リモコン１とエアコン室内機２との間では、上記した定時刻以外に、リモコン１が運転操作のコマンドを送信すると、エアコン室内機２から運転状況ログを取得して、リモコン１のＬＣＤユニット１５に表示することができる。
【００３８】
［空調運転とメンテナンス運転の運転時間と電気代表示］
図８は、運転停止中の空気調和機本体に対しリモコンから運転開始操作を行った場合の表示例を示す図であり、図９は、運転中の空気調和機本体に対しリモコンから運転停止操作を行った場合の表示例を示す図であり、図１０は、運転中の空気調和機本体に対しリモコンから運転停止操作を行った後に内部クリーン運転を行った場合の表示例を示す図であり、図１１は、運転中の空気調和機本体に対しリモコンから運転停止操作を行った後に内部クリーン運転とフィルタークリーン運転を行った場合の表示例を示す図であり、図１２は、リモコンに表示されたフィルタークリーン運転の電気代に基づいてフィルタークリーン間隔の設定を変更する場合の表示例を示す図である。
【００３９】
エアコン室内機２が運転停止中であって、リモコン１も図８に示すように運転停止画面が表示されている場合に、操作者がリモコン１の運転／停止キー１６ａを押下すると、白抜き矢印で示す運転中の表示に変わり、エアコン室内機２も運転中となる。しかしながら、リモコン１の運転／停止キー１６ａを押下しても通信できなかった場合は、黒矢印で示す通信不可であることを示す「通信×」がＬＣＤユニット１５に表示される。このため、操作者は、リモコン１の表示を見るだけで、通信が成功してコマンドが実行されているか、通信不可でコマンドが実行されていないかを知ることができる。
【００４０】
続いて、エアコン室内機２が運転中で、リモコン１も図９に示すように運転中の画面が表示されている場合に、操作者がリモコン１の運転／停止キー１６ａを押下すると、運転停止状態を表示する前に、エアコン室内機２に対しログを要求する。エアコン室内機２のＭＰＵボード２２は、空調運転モード２２ａにおける電気代と運転時間とを計算し、リモコン１に送信することにより、白抜き矢印で示した「お知らせ」で「今日の運転（空調運転）」の電気代と運転時間とを表示することができる。この「お知らせ」表示から５．５秒後には、白抜き矢印で示した運転停止状態が表示される。この運転停止画面には、今日の電気代合計と、昨日の電気代合計とが表示されている。
【００４１】
エアコンは、冷房、暖房の運転モードや設定温度により消費電力が変動するので図示していないが、エアコン室内機２側でリアルタイムに消費電力を測定し、積算することで消費電力を求め、この求めた消費電力とエアコン室内機２のＭＰＵボード２２に記憶されている単位時間当たりの電気代で求める。
【００４２】
続いて、エアコン室内機２が空調運転中で、リモコン１も図１０に示すように冷房運転中の画面が表示されている場合に、操作者がリモコン１の運転／停止キー１６ａを押下すると、図９の場合と同様に、エアコン室内機２に対しログを要求し、エアコン室内機２のＭＰＵボード２２で計算した今日の運転の電気代と運転時間とがリモコン１に表示される。ここで、エアコン室内機２のＭＰＵボード２２は、空調運転が冷房運転であり、熱交換器等が結露していると判断して、空調運転停止後に室内機の内部を乾燥させる内部クリーン運転を自動で開始し、メンテナンス運転の内部クリーン運転を行う。内部クリーン運転時間は、エアコン室内機２のＭＰＵボード２２に記憶されているテーブルより、運転停止前の冷房運転時間に応じて決定される。
【００４３】
メンテナンス運転開始時、メンテナンス運転時間とエアコン室内機２のＭＰＵボード２２に記憶されているメンテナンス運転の単位時間当たりの電気代からメンテナンス運転にかかる電気代を計算して、メンテンナンス運転モード、運転時間、電気代の情報をリモコン１に送信して、リモコン１は、受信した情報を表示する。
【００４４】
リモコン１は、表示してから５．５秒後に、メンテナンス運転時間情報よりその内部クリーン運転の残り時間を表示（残り約９０分）し、カウントダウンして表示させる。このカウントダウンの計時は、リモコン１のＲＴＣ１７により行う。または、エアコン室内機２側のＲＴＣ２３により行い、そのカウントダウン情報をリモコン１に送信して表示させても良い。
【００４５】
図１０に示す内部クリーン運転が表示され、残り時間がある時点で、操作者がリモコン１の運転／停止キー１６ａを押下すると、内部クリーン運転が途中で停止され、白抜き矢印で示す運転停止画面が表示される。この運転停止画面には、今日の電気代合計と、昨日の電気代合計が表示され、今日の電気代合計に内部クリーン運転の途中停止までの電気代を含む金額が表示される。
【００４６】
また、図１０に示す内部クリーン運転が表示され、途中停止することなくメンテナンス運転が終了した場合、黒矢印で示すように、メンテナンス運転（ここでは、内部クリーン運転）のみの運転時間と実際にかかった電気代を表示した後、白抜き矢印で示す運転停止状態が表示される。この運転停止画面には、今日の電気代合計と、昨日の電気代合計とを表示している。
【００４７】
続いて、エアコン室内機２が空調運転中で、リモコン１も図１１に示すように冷房運転中の画面が表示されている場合に、操作者がリモコン１の運転／停止キー１６ａを押下すると、図１０の場合と同様に、エアコン室内機２に対しログを要求し、エアコン室内機２のＭＰＵボード２２で計算した今日の運転の電気代と運転時間とがリモコン１に表示される。図１０と同様にエアコン室内機２のＭＰＵボード２２は、空調運転が冷房運転で熱交換器等が結露していると判断して、空調運転停止後に内部クリーン運転を自動で開始する。この時、エアコン室内機２は、メンテンナンス運転モード、運転時間、電気代の情報をリモコン１に送信して、リモコン１は、受信した情報を表示する。
【００４８】
リモコン１は、上記情報を表示してから５．５秒後に、メンテナンス運転時間情報よりその内部クリーン運転中は残り運転時間をカウントダウン表示する。
【００４９】
９０分後に内部クリーンが終了すると、白抜き矢印で示すように、内部クリーン運転のみの運転時間と実際にかかった電気代とを表示する。さらに、エアコン室内機２のＭＰＵボード２２は、図１１に示すように、所定の空調運転積算時間が到来したと判断すると、白抜き矢印で示すようにフィルタを清掃するフィルタークリーン運転を自動で開始する。この時も内部クリーン運転と同様にエアコン室内機２は、メンテンナンス運転モード、運転時間、電気代の情報をリモコン１に送信して、リモコン１は、受信した情報を表示する。その後、フィルタークリーン運転中は、リモコン１に運転状況と残り時間をカウントダウン表示する。このカウントダウン表示は、内部クリーン運転の場合と同様であって、リモコン１あるいはエアコン室内機２のいずれのＲＴＣを使って行っても良い。
【００５０】
また、図１１に示すフィルタークリーン運転が途中停止されることなくメンテナンス運転が終了すると（１０分後）、白抜き矢印で示すように、メンテナンス運転（ここでは、フィルタークリーン運転）のみの運転時間と電気代を表示した後、次の白抜き矢印で示す運転停止状態が表示される。この運転停止画面には、今日の電気代合計と、昨日の電気代合計とが表示される。
【００５１】
このように、リモコン１に表示される表示画面は、空調運転終了後にメンテナンス運転を自動で行った場合、空調運転の運転時間と電気代とは別に、メンテナンス運転の運転時間と実際にかかった電気代とを表示している。このため、操作者は、メンテナンス運転にどの程度の電気代がかかるかを明確に把握することができると共に、トータルの運転時間と電気代を表示する場合も、空調運転だけでなくメンテナンス運転を含む運転状況が表示されるので、常に正しい運転状況を知ることができる。これにより、操作者は、メンテナンス運転や種々の運転設定を設定する場合に、これらの表示に基づいて正しい設定を行うことができる。
【００５２】
例えば、図１２に示すように、設定画面でフィルタークリーン間隔が「標準」に設定してあった場合、操作者は、フィルタークリーン運転にかかった電気代を見て、それ程高くないことがわかると、より頻繁にフィルタークリーン運転を行う間隔を「短め」に設定変更することができる。また、これとは逆に、操作者は、フィルタークリーン運転にかかった電気代が高いと思う場合、フィルタークリーン運転を行う間隔を「長め」に設定変更することができる。
【００５３】
［メンテナンス運転の運転状況表示動作］
図１３は、本実施例にかかる空気調和機の動作を説明するフローチャートである。図１３を用いて、空調運転後にメンテナンス運転を自動で行う場合の動作を説明する。まず、空調運転中に操作者から空調運転の停止操作があったか否かを判断する（ステップＳ１００）。エアコン室内機２は空調運転の停止操作が無い場合は、空調運転の停止操作があるまで待機する（ステップＳ１０１）。
【００５４】
操作者がリモコン１から空調運転の停止操作を行うと（ステップＳ１００でＹｅｓ）、エアコン室内機２のＭＰＵボード２２は、空調運転の運転時間と電気代を計算し、ＲＦモジュール２１を介してエアコン室内機２から空調運転時間と電気代等の情報をリモコン１に送り、リモコン１で空調運転時間と電気代等の情報を取得する（ステップＳ１０２）。エアコン室内機２は、空調運転終了後にメンテナンス運転を行うか否を判断する。メンテナンス運転を行わない場合は（ステップＳ１０３でＮｏ）、リモコン１のＭＰＵボード１４は、取得した空調運転の運転時間と電気代とを表示する（ステップＳ１０４）。
【００５５】
また、ステップＳ１０３において、メンテナンス運転有りと判断すると（ステップＳ１０３でＹｅｓ）、エアコン室内機２のＭＰＵボード２２は、予め決められたメンテナンス運転時間をエアコン室内機２のＭＰＵボード２２に記憶されているテーブルから抽出して、その電気代を計算してメンテナンス運転の情報を生成し（ステップＳ１０５）、エアコン室内機２は、このメンテナンス運転情報をリモコン１に送り、リモコン１はメンテナンス運転時間と電気代とをリモコン１のＬＣＤユニット１５に表示する（ステップＳ１０６）。リモコン１は、エアコン室内機２から送られてきた運転時間をもとに残りの運転時間をカウントダウン表示する（ステップＳ１０７）。リモコン１はカウントダウン完了まで、省エネのためにエアコン室内機２からの受信待ち状態をオフとし、カウントダウン完了後、エアコン室内機２に完了通知し、エアコン室内機２は、メンテナンス運転時間と実際にかかった電気代と、空調運転とメンテナンス運転のトータルの運転時間と電気代を計算し、その情報をリモコンに送信する。リモコン１は、ＬＣＤユニット１５にメンテナンス運転時間と電気代とを表示させ（ステップＳ１０８）、その後、空調運転とメンテナンス運転のトータルの運転時間と電気代とを表示する（ステップＳ１０９）。
【００５６】
このように、本実施例にかかる空気調和機は、空調運転停止後にメンテナンス運転が自動で開始された場合であっても、リモコン１に空調運転の運転時間と電気代だけでなく、メンテナンス運転のみの運転時間と電気代とを表示することができる。このため、操作者は、リモコン１に表示されたメンテナンス運転の運転時間と電気代とに基づいてメンテナンス運転の設定を適切に行うことができる。
【００５７】
また、本実施例にかかる空気調和機は、空調運転停止後にメンテナンス運転が自動で開始された場合であっても、リモコン１に空調運転にメンテナンス運転を加えたトータルの運転時間と電気代を表示することができるため、正確な運転時間と電気代とをリモコン１に表示することができる。このため、操作者は、この正確な情報に基づいて空気調和機に関する種々の設定を正しく行うことができる。
【００５８】
［リモコンとＰＣ間の通信シーケンス］
また、本実施例のリモコン１は、エアコン室内機２の運転情報が管理可能なＰＣ３と接続する外部接続端子としてのＵＳＢソケット１２を備えている。このため、リモコン１とＰＣ３をＵＳＢ接続することにより、エアコン室内機２の運転情報をリモコン１を経由してＰＣ３に収集することが可能となり、ＰＣ３においてエアコン室内機２の運転情報を管理することができる。
【００５９】
図１４は、本実施例にかかるリモコンとＰＣとの間でログ情報の受け渡しを行う場合の通信手順を説明する図である。上記したエアコン１とリモコン２間の通信シーケンスにより、リモコン１のＭＰＵボード１４のEEPROMに保存されたエアコンの運転状況のログをＰＣ３に送信するものである。リモコン１のＭＰＵボード１４のEEPROMは、エアコンから受信したログを最大４０日分保存できる容量を持っている。
【００６０】
まず、リモコン１とＰＣ３との間をＵＳＢ接続すると、ＵＳＢドライバにより通信可能となるまでの一連の処理（エニュメレーション）が行われ、エニュメレーションの完了によりリモコン１とＰＣ３との間で通信が可能になる（ステップＳ８５）。エニュメレーションの間は、「接続検出：ＵＳＢ接続中」の表示がリモコン１のＬＣＤユニット１５に表示される。
【００６１】
エニュメレーションが完了すると、ＰＣ３は、リモコン１に対してエアコン情報を要求する（ステップＳ８６）。リモコン１は、これに応答してＭＰＵボード１４のEEPROMに保存したエアコン情報をＰＣ３に対して送信する（ステップＳ８７）。エアコン情報としては、エアコンの製品名、シリーズ名、能力帯、室内機年度、使用電圧の他、エアコンＭＡＣアドレス、部屋情報、およびリモコンタイプなどがある。
【００６２】
ＰＣ３は、受信したエアコン情報と、管理しているエアコン情報とを照合し、受信したエアコン情報がどのエアコンに該当するのかを識別する。ＰＣ３において、複数のエアコンを管理している場合は、受信したエアコン情報がどのエアコンに該当するかを照合する必要がある。
【００６３】
続いて、ＰＣ３は、運転設定情報を読み込むため、リモコン１に対してエアコン運転設定情報を要求する（ステップＳ８８）。リモコン１は、これに応答してＭＰＵボード１４のEEPROMに保存されているエアコン運転設定情報をＰＣ３に送信する（ステップＳ８９）。エアコン運転設定情報としては、音量レベル、ボイスの有無、不在エコの切り換え、内部クリーンの有無、お手入れ時間、省エネファンの有無、自動パワフルの有無、および電流切換などがある。
【００６４】
続いて、ＰＣ３は、リモコン１に対してログ読込みのために、ログ要求を行う（ステップＳ９０）。リモコン１は、ＰＣ３からのログ要求に応答して、ログデータを送信する（ステップＳ９１）。ＰＣ３とリモコン１とは、次データ要求とログデータの送信が繰り返される（ステップＳ９２、Ｓ９３、Ｓ９４）。リモコン１は、送信するログデータが無くなった時点でＰＣ３に対しログ終了を送信することにより（ステップＳ９５）、ＰＣ３におけるログ読込み処理が完了する。その後、ＰＣ３とリモコン１とをつなぐＵＳＢ接続が切断され（ステップＳ９６）、リモコン１がＰＣ３との間の通信モードから解放されると、ＬＣＤユニット１５の表示が通常表示に移行する。
【００６５】
このように、エアコン室内機２に一時的に保存された（最大１０日間分保存可能）エアコンの運転ログは、リモコン１側に送信されて保存され（最大４０日間分保存可能）、リモコン１とＰＣ３とをＵＳＢ接続した時点で、リモコン１に保存されていたログがＰＣ３側に転送される。ＰＣ３では、予めインストールされた運転情報管理ソフトを使って、図１３〜図２８に示すようにエアコン室内機２の運転情報を管理することができる。
【００６６】
［ＰＣにおける運転情報の管理］
図１５〜図３０は、ＰＣが取得したログ情報に基づいてエアコンの運転情報管理を行うＰＣ画面例を示す図である。まず、ＰＣ３は、運転情報管理ソフトにより図１５に示すような画面が表示される。操作者は、エアコン選択タグ１００をクリックし、その中の「リビング１」のボタン１０１をクリックすると共に、カレンダータグ１０２をクリックすると、「リビング１」のエアコンにおける毎日の運転時間と電気代、月単位、年単位の電気代、月目標電気代等が記載されたカレンダー画面１０３が表示される。これにより、エアコン毎の運転状況と電気代とを継続的に把握可能となり、エアコンの効率的な利用や設定に利用することができる。
【００６７】
ＰＣ３とリモコン１とをＵＳＢ接続した場合は、図１６に示すように、リモコン１が接続され、データ受信中であることを示すウインドウ１０４が表示される。そして、ＰＣ３には、新たな運転情報がＰＣ３に取り込まれると、図１７に示すように、カレンダー画面１０３にリモコン１に保存されていた前日までの運転時間と電気代とが追加された画面が表示される。
【００６８】
続いて、操作者は、図１７の状態から画面上のグラフタグ１０５をクリックすると、図１８に示すように、毎日の電気代が棒グラフ化されたグラフ画面１０６を表示することができる。これにより、一カ月間のエアコンの電気代の増減を一目で把握することができる。また、累計電気代として、今月の「リビング１」にかかったエアコン電気代の合計、前の月の電気代の合計、年間の電気代の合計、前の年の電気代の合計、月目標電気代等も表示されるため、エアコンの運転状況を多角的に把握することが可能になる。
【００６９】
また、図１８の画面において、エアコン選択タグ１００の全室合計ボタン１０８をクリックすると、リビング１ボタン１０１と寝室１ボタン１０７のそれぞれが合計されたグラフ画面１０６が色違い（モノクロ表示であれば、濃度違い）で表示される。これにより、全室のエアコンの電気代の合計とその内訳を一目で把握することができる。また、グラフ画面１０６には、縮小ボタン１０９と拡大ボタン１１０が設けられている。例えば、図１９に示す状態で拡大ボタン１１０をクリックすると、グラフ画面１０６は、図２０のようにグラフのレートが変化し、拡大表示することができる。これにより、電気代の微妙な変化も明確に把握することができる。
【００７０】
例えば、図２１に示すように、エアコン選択タグ１００に、リビング１ボタン１０１、ダイニング１ボタン１１１、和室１ボタン１１２、寝室１ボタン１１３、子供部屋１ボタン１１４、その他１ボタン１１５、子供部屋２ボタンという多数のエアコンが登録されている場合は、全室合計ボタン１０８をクリックすると、１日毎の全室の電気代の合計のグラフが表示される。そして、１日の全室の電気代の合計のグラフは、さらに部屋毎の電気代が色違い（モノクロ表示であれば、濃度違い）で表示されるため、多数のエアコンの電気代の内訳も一目で把握することができる。
【００７１】
また、図１９に示すグラフ表示において、特定の日にちをクリックすると、図２２に示すように、その日の運転状況を詳細に示すウインドウ１１７を開くことができる。そのウインドウには、その日の全室合計の電気代、運転時間、および外気温度の平均気温などを表示することができる。
【００７２】
さらに、図２３に示すエアコン設定確認画面１１９は、エアコン選択タグ１００のリビング１ボタン１０１をクリックし、エアコン設定確認タグ１１８をクリックした場合の画面である。このエアコン設定確認画面１１９は、リビング１ボタン１０１に登録されているエアコンの設定内容の詳細をＰＣ３の画面上で容易に確認することができる。また、エアコン設定確認画面１１９は、設定内容の機能が併せて表示されているため、操作者が設定内容を変更する際に設定内容を正しく理解しながら変更することができる。さらに、次のページボタン１２０をクリックすると、図２４に示すように、次頁のエアコン設定確認画面１１９が表示される。そして、設定内容を変更する場合は、変更する設定内容をクリックすると、変更内容がメニュー表示され、所望の内容をクリックすることにより設定内容が変更される。前頁のエアコン設定確認画面１１９に戻りたい場合は、前のページボタン１２１をクリックする。このように変更された設定情報は、ＵＳＢ接続されたＰＣ３からリモコン１に送られ、リモコン１からエアコン室内機２に対してコマンド等を送る際に、変更された設定情報を併せて送ることにより、エアコン室内機２の設定が変更される。
【００７３】
また、図１７のカレンダー表示において、図２５に示すワンポイントアドバイスボタン１２３がクリックされると、ワンポイントアドバイスウインドウ１２２が開いて、操作者に対しエアコンを効率的に使用するためのアドバイスが表示される。ワンポイントアドバイスウインドウ１２２が複数ある場合は、次頁ボタン１２２ａや前頁ボタン１２２ｂをクリックすることにより、別のワンポイントアドバイスウインドウ１２２を開くことができる（図２６参照）。
【００７４】
さらに、図２７に示すように、エアコン選択タグ１００の隣のファイル管理タグ１２４をクリックすると、ＣＤ−ＲＯＭ等からのデータの読み込みを行う読み込みボタン１２５、ＣＤ−Ｒ等に対してデータの書き出しを行う書き出しボタン１２６、エアコン選択タグにおいて登録されているエアコンの機種を削除する機種削除ボタン１２７、フレキシブルディスク（ＦＤ）等にファイルを書き出すファイルボタン１２８、このＰＣソフトのヘルプ表示を行うためのこのソフトの使い方ボタン１２９、およびこのＰＣソフトの名称や提供元やバージョン情報等を表示させるこのソフトについてボタン１３０等が表示される。例えば、この中の機種削除ボタン１２７をクリックすると、図２８に示すようなウインドウ１３１が開いて、既に登録されている機種一覧が表示される。例えば、この中のリビング１ボタン１３１をクリックすると、図２９に示すように、削除確認のための確認ウインドウ１３２が開かれ、「はい」または「いいえ」をクリックすることで削除、あるいは削除を中止できる。
【００７５】
また、図３０に示すように、ファイル管理タグ１２４のこのソフトについてボタン１３０をクリックすると、このＰＣソフトの名称、提供元名称、また、図示していないがリリース年月日等が表示された画面１３３を表示することができる。
【００７６】
このように、本実施例にかかる空気調和機は、エアコン室内機２の運転情報をリモコン１を介してＰＣ３でも管理できるようにしたため、リモコン１の表示画面だけでは表示できなかった表示内容を、ＰＣ３のような外部接続機器のディスプレイを使って詳細に表示させることができる。特に、図２３、図２４に示すエアコンの設定画面では、内部クリーンやフィルタークリーン間隔を設定する際に、メンテナンス運転のみの運転時間と電気代とを参照することができるため、操作者にとってわかり易く設定することが可能となる。
【産業上の利用可能性】
【００７７】
以上のように、本発明にかかる空気調和機は、空気調和機本体とリモコンとの間で双方向通信が可能な場合に有用であり、特に、空調運転後にメンテナンス運転が自動的に開始される空気調和機に適している。
【符号の説明】
【００７８】
１  リモートコントローラ（リモコン）
１１  ＲＦモジュール
１２  ＵＳＢソケット
１３  ＩＲＬＥＤ
１４  ＭＰＵボード
１５  ＬＣＤユニット
１６  キー操作部
１７  ＲＴＣ（リアル・タイム・クロック）
１８  電池
２  エアコン
２１  ＲＦモジュール
２２  ＭＰＵボード
２２ａ  空調運転モード
２２ｂ  メンテナンス運転モード
２３  ＲＴＣ（リアル・タイム・クロック）
【図１】
2012149853.tif 000003
【図２】
2012149853.tif 000004
【図３】
2012149853.tif 000005
【図４】
2012149853.tif 000006
【図５】
2012149853.tif 000007
【図６】
2012149853.tif 000008
【図７】
2012149853.tif 000009
【図８】
2012149853.tif 000010
【図９】
2012149853.tif 000011
【図１０】
2012149853.tif 000012
【図１１】
2012149853.tif 000013
【図１２】
2012149853.tif 000014
【図１３】
2012149853.tif 000015
【図１４】
2012149853.tif 000016
【図１５】
2012149853.tif 000017
【図１６】
2012149853.tif 000018
【図１７】
2012149853.tif 000019
【図１８】
2012149853.tif 000020
【図１９】
2012149853.tif 000021
【図２０】
2012149853.tif 000022
【図２１】
2012149853.tif 000023
【図２２】
2012149853.tif 000024
【図２３】
2012149853.tif 000025
【図２４】
2012149853.tif 000026
【図２５】
2012149853.tif 000027
【図２６】
2012149853.tif 000028
【図２７】
2012149853.tif 000029
【図２８】
2012149853.tif 000030
【図２９】
2012149853.tif 000031
【図３０】
2012149853.tif 000032